(57)【要約】  【課題】  従来の乗用草刈り機については、コレクター本体の内部へ入った作業者は、コレクタードアが閉まったとき、容易にコレクター本体の外部へ出ることができない。  【解決手段】  刈取られた草を内部へ収容するコレクター本体７１０を有するコレクター７００と、コレクター７００のダンプ操作を行うコレクターダンプ機構５００と、コレクター本体７１０のコレクタードア７１１のロックを行うコレクタードアロック機構１０００と、ダンプ操作にともなってコレクタードア７１１のロックを自動的に解除する自動コレクタードアロック解除機構２０００と、コレクター本体７１０の内部からの手動操作に基づいてコレクタードア７１１のロックを解除する手動コレクタードアロック解除機構３０００と、を備えた乗用草刈り機である。【選択図】  図７
2019058158.tif 000002
【特許請求の範囲】
【請求項１】
刈取られた草を内部へ収容するコレクター本体を有するコレクターと、
前記コレクターのダンプ操作を行うコレクターダンプ機構と、
前記コレクター本体のコレクタードアのロックを行うコレクタードアロック機構と、
前記ダンプ操作にともなって前記コレクタードアの前記ロックを自動的に解除する自動コレクタードアロック解除機構と、
前記コレクター本体の前記内部からの手動操作に基づいて前記コレクタードアの前記ロックを解除する手動コレクタードアロック解除機構と、
を備えたことを特徴とする乗用草刈り機。
【請求項２】
前記手動コレクタードアロック解除機構は、一端部が前記コレクタードアロック機構へ連結されている棒状部材を利用して設けられており、
前記棒状部材の他端部は、前記コレクター本体の前記内部へ突出しており、
前記棒状部材の前記一端部が前記棒状部材の前記他端部に対する前記手動操作に応じて前記コレクタードアロック機構へ作用することにより、前記コレクタードアの前記ロックは解除されることを特徴とする請求項１に記載の乗用草刈り機。
【請求項３】
前記棒状部材の前記他端部の形状は、前記コレクター本体の前記内部へ収容される前記草が引っかかりにくい柱状形状であることを特徴とする請求項２に記載の乗用草刈り機。
【請求項４】
前記手動コレクタードアロック解除機構は、前記コレクター本体の壁に形成された貫通孔を利用して設けられており、
前記貫通孔へ挿入された指が前記手動操作に応じて前記コレクタードアロック機構へ作用することにより、前記コレクタードアの前記ロックは解除されることを特徴とする請求項１に記載の乗用草刈り機。
【請求項５】
前記貫通孔は、柔軟な変形可能部材により閉鎖されていることを特徴とする請求項４に記載の乗用草刈り機。
【発明の詳細な説明】
【技術分野】
【０００１】
本発明は、草刈り作業を行うための乗用草刈り機に関する。
【背景技術】
【０００２】
刈取られた草を内部へ収容するコレクター本体を有するコレクターと、コレクターのダンプ操作を行うコレクターダンプ機構と、コレクター本体のコレクタードアのロックを行うコレクタードアロック機構と、ダンプ操作にともなってコレクタードアのロックを自動的に解除する自動コレクタードアロック解除機構と、を備えた乗用草刈り機が、知られている（たとえば、特許文献１参照）。
【先行技術文献】
【特許文献】
【０００３】
【特許文献１】特開２０１６−１１９９１６号公報
【発明の概要】
【発明が解決しようとする課題】
【０００４】
しかしながら、従来の乗用草刈り機については、コレクター本体の内部へ入った作業者は、コレクタードアが閉まったとき、容易にコレクター本体の外部へ出ることができない。
【０００５】
本発明は、上述された従来の課題を考慮し、コレクター本体の内部へ入った作業者は、コレクタードアが閉まったときでも、容易にコレクター本体の外部へ出ることができる乗用草刈り機を提供することを目的とする。
【課題を解決するための手段】
【０００６】
第１の本発明は、刈取られた草を内部へ収容するコレクター本体を有するコレクターと、
前記コレクターのダンプ操作を行うコレクターダンプ機構と、
前記コレクター本体のコレクタードアのロックを行うコレクタードアロック機構と、
前記ダンプ操作にともなって前記コレクタードアの前記ロックを自動的に解除する自動コレクタードアロック解除機構と、
前記コレクター本体の前記内部からの手動操作に基づいて前記コレクタードアの前記ロックを解除する手動コレクタードアロック解除機構と、
を備えたことを特徴とする乗用草刈り機である。
【０００７】
これにより、コレクター本体の内部からの手動操作に基づいてコレクタードアのロックを解除する手動コレクタードアロック解除機構を備えるので、コレクター本体の内部へ入った作業者は、コレクタードアが閉まったときでも、容易にコレクター本体の外部へ出ることができる。
【０００８】
第２の本発明は、前記手動コレクタードアロック解除機構は、一端部が前記コレクタードアロック機構へ連結されている棒状部材を利用して設けられており、
前記棒状部材の他端部は、前記コレクター本体の前記内部へ突出しており、
前記棒状部材の前記一端部が前記棒状部材の前記他端部に対する前記手動操作に応じて前記コレクタードアロック機構へ作用することにより、前記コレクタードアの前記ロックは解除されることを特徴とする第１の本発明の乗用草刈り機である。
【０００９】
これにより、手動コレクタードアロック解除機構は、一端部がコレクタードアロック機構へ連結されている棒状部材を利用して設けられているので、手動コレクタードアロック解除機構の構成を簡素化することができる。
【００１０】
第３の本発明は、前記棒状部材の前記他端部の形状は、前記コレクター本体の前記内部へ収容される前記草が引っかかりにくい柱状形状であることを特徴とする第２の本発明の乗用草刈り機である。
【００１１】
これにより、棒状部材の他端部の形状は、コレクター本体の内部へ収容される草が引っかかりにくい柱状形状であるので、草を引っかかりにくくすることができる。
【００１２】
第４の本発明は、前記手動コレクタードアロック解除機構は、前記コレクター本体の壁に形成された貫通孔を利用して設けられており、
前記貫通孔へ挿入された指が前記手動操作に応じて前記コレクタードアロック機構へ作用することにより、前記コレクタードアの前記ロックは解除されることを特徴とする第１の本発明の乗用草刈り機である。
【００１３】
これにより、手動コレクタードアロック解除機構は、コレクター本体の壁に形成された貫通孔を利用して設けられているので、手動コレクタードアロック解除機構の構成を簡素化することができる。
【００１４】
第５の本発明は、前記貫通孔は、柔軟な変形可能部材により閉鎖されていることを特徴とする第４の本発明の乗用草刈り機である。
【００１５】
これにより、貫通孔は、柔軟な変形可能部材により閉鎖されているので、草を貫通孔からコレクター本体の外部へ出ていかなくすることができる。
【発明の効果】
【００１６】
本発明により、コレクター本体の内部へ入った作業者は、コレクタードアが閉まったときでも、容易にコレクター本体の外部へ出ることが可能な乗用草刈り機を提供することができる。
【図面の簡単な説明】
【００１７】
【図１】本発明における実施の形態の乗用草刈り機の模式的な左側面図
【図２】本発明における実施の形態の乗用草刈り機の斜視図
【図３】本発明における実施の形態の乗用草刈り機のコレクター昇降リンク機構およびコレクターダンプリンク機構近傍の部分斜視図
【図４】本発明における実施の形態の乗用草刈り機のコレクター底フレーム近傍の部分斜視図
【図５】本発明における実施の形態の乗用草刈り機の支持台近傍の部分斜視図
【図６】本発明における実施の形態の乗用草刈り機のコレクタードアロック機構および自動コレクタードアロック解除機構近傍の部分左側面図
【図７】本発明における実施の形態の乗用草刈り機のコレクタードアロック機構、自動コレクタードアロック解除機構および手動コレクタードアロック解除機構近傍の部分左側面図（その一）
【図８】本発明における実施の形態の乗用草刈り機のコレクタードアロック機構、自動コレクタードアロック解除機構および手動コレクタードアロック解除機構近傍の部分左側面図（その二）
【図９】本発明における実施の形態の乗用草刈り機の取付けプレートの模式的な斜視図
【図１０】本発明における実施の形態の乗用草刈り機のコレクター本体近傍の模式的な部分斜視図
【図１１】本発明における変形例の実施の形態（その一）の乗用草刈り機の棒状部材近傍の部分左側面図
【図１２】本発明における変形例の実施の形態（その二）の乗用草刈り機の棒状部材近傍の部分左側面図
【図１３】本発明における変形例の実施の形態（その三）の乗用草刈り機のベース部材近傍の模式的な部分斜視図
【図１４】本発明における変形例の実施の形態（その四）の乗用草刈り機の貫通孔近傍の部分左側面図
【図１５】本発明における変形例の実施の形態（その四）の乗用草刈り機の貫通孔近傍の模式的な部分上面図
【発明を実施するための形態】
【００１８】
以下、図面を参照しながら、本発明における実施の形態について詳細に説明する。
【００１９】
はじめに、図１および２を参照しながら、本実施の形態の乗用草刈り機の構成および動作について具体的に説明する。
【００２０】
ここに、図１は本発明における実施の形態の乗用草刈り機の模式的な左側面図であり、図２は本発明における実施の形態の乗用草刈り機の斜視図である。
【００２１】
図１においては、コレクター７００が昇降操作およびダンプ操作における最上位置にある状態が二点鎖線で示されている。
【００２２】
以下同様であるが、いくつかの構成要素は図面において示されていないこともあるし省略的に示されていることもある。たとえば、図２においては、車体１００などの構成がより理解しやすくなるように、モアー６０およびコレクター昇降機構３００は示されていない。
【００２３】
本実施の形態の乗用草刈り機は、モアー６０と、ブロワー５０と、コレクター７００と、を備える。モアー６０は、モアーデッキ６１を有する、草を刈取るためのユニットである。ブロワー５０は、刈取られた草を吸引するためのユニットである。コレクター７００は、吸引された草を収容するためのユニットである。
【００２４】
左側前輪３１Ｌおよび右側前輪３１Ｒ、ならびに左側後輪３２Ｌおよび右側後輪３２Ｒにより支持された車体１００の前部には、作業者が運転を行うための操縦部４０が設けられている。操縦部４０には、作業者が操縦を行うためのステアリングハンドル４１が設けられている。操縦部４０には、作業者が操縦を行うときに座るシート４２、およびシートベルト４３なども設けられている。
【００２５】
モアー６０は、刈取られた草を搬送するための刈り草搬送シュート５１によりブロワー５０と連通されている。ブロワー５０により搬送されてくる草は、シューター５２を通ってコレクター７００へ排出される。
【００２６】
エンジン２０により発生された動力は、左側後輪３２Ｌおよび右側後輪３２Ｒのアクスルケースの上側に配置されたＨＳＴ（Ｈｙｄｒｏ  Ｓｔａｔｉｃ  Ｔｒａｎｓｍｉｓｓｉｏｎ）を介して左側後輪３２Ｌおよび右側後輪３２Ｒへ伝達され、ボンネット１３内のエンジン２０とブロワー５０との間に配置されたＰＴＯ（Ｐｏｗｅｒ  Ｔａｋｅ  Ｏｆｆ）クラッチ２１を介してブロワー５０へも伝達される。
【００２７】
コレクター昇降機構３００は、車体１００へ取付けられたモアー６０により刈取られた草を収容するコレクター７００の昇降操作を行う機構である。
【００２８】
コレクターダンプ機構５００は、コレクター７００のダンプ操作を行う、コレクター昇降リンク機構４００へ取付けられた機構である。
【００２９】
仕切部材１１は操縦部４０の後方に配置されたメッシュ状の部材であり、左側支柱部材２００Ｌおよび右側支柱部材２００Ｒは仕切部材１１の後方に配置されている。安全フレーム１２は、右側支柱部材２００Ｒの上端部と右側支柱部材２００Ｒの上端部とを連結する、Ｕ字形状のＲＯＰＳ（Ｒｏｌｌ  Ｏｖｅｒ  Ｐｒｏｔｅｃｔｉｏｎ  Ｓｔｒｕｃｔｕｒｅ）フレームである。
【００３０】
コレクター本体７１０は、開閉されるコレクタードア７１１を有する、刈取られた草を収容するための樹脂部材である。
【００３１】
草は、雑草であってもよいし、芝草であってもよいし、牧草であってもよい。
【００３２】
つぎに、図３〜５を主として参照しながら、本実施の形態の乗用草刈り機の構成および動作についてより具体的に説明する。
【００３３】
ここに、図３は本発明における実施の形態の乗用草刈り機のコレクター昇降リンク機構４００およびコレクターダンプリンク機構６００近傍の部分斜視図であり、図４は本発明における実施の形態の乗用草刈り機のコレクター底フレーム７２０近傍の部分斜視図であり、図５は本発明における実施の形態の乗用草刈り機の支持台１１０近傍の部分斜視図である。
【００３４】
左側リンク支点部材２１０Ｌは左側支柱部材２００Ｌの上部へ取付けられており、左側昇降シリンダー支点部材２２０Ｌは左側支柱部材２００Ｌの下部へ取付けられている。左側ロウワーリンクアーム接続部材４２１Ｌは、左側ロウワーリンクアーム部材４２０Ｌへ取付けられている。
【００３５】
左側アッパーリンクアーム部材４１０Ｌの前端部は左側リンク支点部材２１０Ｌの上部へ回動可能に取付けられており、左側ロウワーリンクアーム部材４２０Ｌの前端部は左側リンク支点部材２１０Ｌの下部へ回動可能に取付けられている。
【００３６】
左側昇降シリンダー部材３１０Ｌの前端部は左側昇降シリンダー支点部材２２０Ｌへ回動可能に取付けられており、左側昇降シリンダー部材３１０Ｌの後端部は左側ロウワーリンクアーム接続部材４２１Ｌへ回動可能に取付けられている。
【００３７】
右側リンク支点部材２１０Ｒは右側支柱部材２００Ｒの上部へ取付けられており、右側昇降シリンダー支点部材２２０Ｒは右側支柱部材２００Ｒの下部へ取付けられている。右側ロウワーリンクアーム接続部材４２１Ｒは、右側ロウワーリンクアーム部材４２０Ｒへ取付けられている。
【００３８】
右側アッパーリンクアーム部材４１０Ｒの前端部は右側リンク支点部材２１０Ｒの上部へ回動可能に取付けられており、右側ロウワーリンクアーム部材４２０Ｒの前端部は右側リンク支点部材２１０Ｒの下部へ回動可能に取付けられている。
【００３９】
右側昇降シリンダー部材３１０Ｒの前端部は右側昇降シリンダー支点部材２２０Ｒへ回動可能に取付けられており、右側昇降シリンダー部材３１０Ｒの後端部は右側ロウワーリンクアーム接続部材４２１Ｒへ回動可能に取付けられている。
【００４０】
左側リンクフレーム支点部材４３２Ｌは左側リンクフレーム接続部材４３３Ｌを介してリンクフレーム本体４３１の左前端部へ取付けられており、右側リンクフレーム支点部材４３２Ｒは右側リンクフレーム接続部材４３３Ｒを介してリンクフレーム本体４３１の右前端部へ取付けられている。
【００４１】
左側アッパーリンクアーム部材４１０Ｌの後端部は左側リンクフレーム支点部材４３２Ｌの上部へ回動可能に取付けられており、左側ロウワーリンクアーム部材４２０Ｌの後端部は左側リンクフレーム支点部材４３２Ｌの下部へ回動可能に取付けられている。
【００４２】
右側アッパーリンクアーム部材４１０Ｒの後端部は右側リンクフレーム支点部材４３２Ｒの上部へ回動可能に取付けられており、右側ロウワーリンクアーム部材４２０Ｒの後端部は右側リンクフレーム支点部材４３２Ｒの下部へ回動可能に取付けられている。
【００４３】
左側ダンプリンク支点部材４３４Ｌはリンクフレーム本体４３１の左後部へ取付けられており、右側ダンプリンク支点部材４３４Ｒはリンクフレーム本体４３１の右後部へ取付けられている。
【００４４】
左側コレクター底フレーム接続部材７２１Ｌはコレクター底フレーム７２０の左後部へ取付けられており、右側コレクター底フレーム接続部材７２１Ｒはコレクター底フレーム７２０の右後部へ取付けられている。
【００４５】
左側ダンプリンクアーム部材６１０Ｌの前部は左側コレクター底フレーム接続部材７２１Ｌの左側部へ取付けられており、左側ダンプリンクアーム部材６１０Ｌの後端部は左側ダンプリンク支点部材４３４Ｌへ回動可能に取付けられている。
【００４６】
右側ダンプリンクアーム部材６１０Ｒの前部は右側コレクター底フレーム接続部材７２１Ｒの右側部へ取付けられており、右側ダンプリンクアーム部材６１０Ｒの後端部は右側ダンプリンク支点部材４３４Ｒへ回動可能に取付けられている。
【００４７】
左側ダンプリンクアーム部材接続部材６１１Ｌは左側ダンプリンクアーム部材６１０Ｌの左側部へ取付けられており、右側ダンプリンクアーム部材接続部材６１１Ｒは右側ダンプリンクアーム部材６１０Ｒの右側部へ取付けられている。
【００４８】
左側ダンプシリンダー部材５１０Ｌの前端部は左側リンクフレーム支点部材４３２Ｌの右側部へ回動可能に取付けられており、左側ダンプシリンダー部材５１０Ｌの後端部は左側ダンプリンクアーム部材接続部材６１１Ｌへ回動可能に取付けられている。
【００４９】
右側ダンプシリンダー部材５１０Ｒの前端部は右側リンクフレーム支点部材４３２Ｒの左側部へ回動可能に取付けられており、右側ダンプシリンダー部材５１０Ｒの後端部は右側ダンプリンクアーム部材接続部材６１１Ｒへ回動可能に取付けられている。
【００５０】
コレクター昇降リンク機構４００のリンクフレーム４３０には、左側リンクフレーム当接部材４５０Ｌ、および右側リンクフレーム当接部材４５０Ｒが車体１００の左右方向に関して一対で設けられている。車体１００の支持台１１０には、左側支持台受け部材１５０Ｌ、および右側支持台受け部材１５０Ｒが左右方向に関して一対で設けられている。
【００５１】
左側支持台受け部材１５０Ｌの受け面１５１Ｌ、および右側支持台受け部材１５０Ｒの受け面１５１Ｒは、傾斜している。
【００５２】
コレクター７００が昇降操作における最下位置にあるとき、左側リンクフレーム当接部材４５０Ｌの当接面４５１Ｌが左側支持台受け部材１５０Ｌの受け面１５１Ｌへ当接するように、左側リンクフレーム当接部材４５０Ｌ、および左側支持台受け部材１５０Ｌは配置されている。コレクター７００が昇降操作における最下位置にあるとき、右側リンクフレーム当接部材４５０Ｒの当接面４５１Ｒが右側支持台受け部材１５０Ｒの受け面１５１Ｒへ当接するように、右側リンクフレーム当接部材４５０Ｒ、および右側支持台受け部材１５０Ｒは配置されている。
【００５３】
コレクター７００のコレクター底フレーム７２０には、左側コレクター底フレーム当接部材７５０Ｌ、および右側コレクター底フレーム当接部材７５０Ｒが左右方向に関して一対で設けられている。コレクター昇降リンク機構４００のリンクフレーム４３０には、左側リンクフレーム受け部材４６０Ｌ、および右側リンクフレーム受け部材４６０Ｒが左右方向に関して一対で設けられている。
【００５４】
左側リンクフレーム受け部材４６０Ｌの受け面４６１Ｌ、および右側リンクフレーム受け部材４６０Ｒの受け面４６１Ｒは、傾斜している。
【００５５】
コレクター７００がダンプ操作における最下位置にあるとき、左側コレクター底フレーム当接部材７５０Ｌの当接面７５１Ｌが左側リンクフレーム受け部材４６０Ｌの受け面４６１Ｌへ当接するように、左側コレクター底フレーム当接部材７５０Ｌ、および左側リンクフレーム受け部材４６０Ｌは配置されている。コレクター７００がダンプ操作における最下位置にあるとき、右側コレクター底フレーム当接部材７５０Ｒの当接面７５１Ｒが右側リンクフレーム受け部材４６０Ｒの受け面４６１Ｒへ当接するように、右側コレクター底フレーム当接部材７５０Ｒ、および右側リンクフレーム受け部材４６０Ｒは配置されている。
【００５６】
左側リンクフレーム支点部材４３２Ｌおよび右側リンクフレーム支点部材４３２Ｒの断面形状はＵ字形状であり、左側ダンプシリンダー部材５１０Ｌおよび右側ダンプシリンダー部材５１０ＲはＵ字形状を左右方向に関して貫通する左側ダンプシリンダー支点ピン５１１Ｌおよび右側ダンプシリンダー支点ピン５１１Ｒをそれぞれ利用してしっかりと取付けられている。
【００５７】
つぎに、図６〜８を主として参照しながら、本実施の形態の乗用草刈り機の構成および動作についてもっとより具体的に説明する。
【００５８】
ここに、図６は本発明における実施の形態の乗用草刈り機のコレクタードアロック機構１０００および自動コレクタードアロック解除機構２０００近傍の部分左側面図であり、図７および８は本発明における実施の形態の乗用草刈り機のコレクタードアロック機構１０００、自動コレクタードアロック解除機構２０００および手動コレクタードアロック解除機構３０００近傍の部分左側面図（その一および二）である。
【００５９】
図６においては、ダンプ操作が行われている状態が示されているが、コレクタードアロック機構１０００および自動コレクタードアロック解除機構２０００の構成がより理解しやすくなるように、手動コレクタードアロック解除機構３０００は示されていない。
【００６０】
図７においては、ダンプ操作が行われておらず、コレクタードア７１１のロックが解除されていない状態が示されている。
【００６１】
図８においては、ダンプ操作が行われておらず、コレクタードア７１１のロックがコレクター本体７１０の内部からの手動操作に基づいて解除されている状態が示されている。
【００６２】
コレクターダンプ機構５００は、刈取られた草を内部へ収容するコレクター本体７１０を有するコレクター７００のダンプ操作を行う機構である。コレクタードアロック機構１０００は、コレクター本体７１０のコレクタードア７１１のロックを行う機構である。自動コレクタードアロック解除機構２０００は、ダンプ操作にともなってコレクタードア７１１のロックを自動的に解除する機構である。手動コレクタードアロック解除機構３０００は、コレクター本体７１０の内部からの手動操作に基づいてコレクタードア７１１のロックを解除する機構である。
【００６３】
手動コレクタードアロック解除機構３０００が設けられているので、ダンプ操作の後に残っている草を清掃するためにコレクター本体７１０の内部へ入った作業者は、コレクタードア７１１が閉まったときでも、容易にコレクター本体７１０の外部へ出ることができる。
【００６４】
このような構成は、新しい欧州の認証規定であるホモロゲーションを考慮した構成である。
【００６５】
図７〜９を主として参照しながら、コレクタードアロック機構１０００、自動コレクタードアロック解除機構２０００および手動コレクタードアロック解除機構３０００についてより具体的に説明する。
【００６６】
ここに、図９は、本発明における実施の形態の乗用草刈り機の取付けプレート１２００の模式的な斜視図である。
【００６７】
ロック部材１１００は取付けプレート１２００へ固定されており、ロック部材１１００の後端部は、コレクタードア７１１のロックが行われるように、コレクタードア７１１の下端部と係合可能である。
【００６８】
頭部の付いたピン１１１１は、丸孔１２０１およびロック部材１１００の長孔１１０１へ挿通されており、ピン１１１１の尾部は丸孔１２０１と螺合している。頭部の付いたピン１１１２は、丸孔１２０２およびロック部材１１００の長孔１１０２へ挿通されており、ピン１１１２の尾部は丸孔１２０２と螺合している。
【００６９】
長孔１１０１および長孔１１０２の長手方向はロック部材１１００の長手方向と一致しており、ロック部材１１００が取付けプレート１２００へ固定される位置は、コレクター本体７１０がコレクター底フレーム７２０へ取付けられる位置のズレ、およびコレクタードア７１１のロックの解除タイミングなどを考慮して、調整可能である。
【００７０】
取付けプレート１２００は、コレクター底フレーム７２０へ回動可能に取付けられている。
【００７１】
回動ピン１３００は、取付けプレート１２００の回動ピン挿入孔１２０３へ挿通されている。
【００７２】
トーションスプリング１４００は、回動ピン１３００へ取付けられている。
【００７３】
コレクター７００のダンプ操作が行われておらず、コレクタードア７１１のロックが行われている状態においては、トーションスプリング１４００の後端部は取付けプレート１２００へ当接するが、トーションスプリング１４００の前端部はコレクター本体７１０へ当接しない。他方、コレクター７００のダンプ操作が行われておらず、コレクタードア７１１のロックが解除されている状態においては、トーションスプリング１４００の後端部が取付けプレート１２００へ当接するのみならず、トーションスプリング１４００の前端部もコレクター本体７１０へ当接し、トーションスプリング１４００はコレクタードア７１１のロックが行われる向きに付勢力を印加する。
【００７４】
ベース部材２２００は、リンクフレーム本体４３１へ固定されている。
【００７５】
ロック解除リンクプレート２１００は、取付けプレート１２００をベース部材２２００と連結している。ベース部材２２００の凸部２２０１はロック解除リンクプレート２１００のスリット２１０１へ摺動可能に挿入されており、取付けプレート１２００の左右凸部１２０４はロック解除リンクプレート２１００の丸孔２１０２へ回動可能に挿入されている。
【００７６】
コレクター７００のダンプ操作が行われていると、ロック解除リンクプレート２１００は前方へ取付けプレート１２００を引くので、ロック部材１１００の後端部はコレクタードア７１１の下端部から外れる。このように、コレクタードア７１１のロックは、ダンプ操作にともなって自動的に解除される。
【００７７】
コレクター７００のダンプ操作が行われていなくても、コレクター本体７１０の外部の作業者がロック部材１１００を矢印Ｘの向きに沿って直接的に押下げると、ロック解除リンクプレート２１００は前方へ摺動するので、ロック部材１１００の後端部はコレクタードア７１１の下端部から外れる。このように、コレクタードア７１１のロックは、コレクター本体７１０の外部からの手動操作に基づいて解除される。
【００７８】
手動コレクタードアロック解除機構３０００は、一端部３１０１がコレクタードアロック機構１０００へ連結されている棒状部材３１００を利用して設けられている。棒状部材３１００の他端部３１０２は、コレクター本体７１０の内部へ突出している。棒状部材３１００の一端部３１０１が棒状部材３１００の他端部３１０２に対する手動操作に応じてコレクタードアロック機構１０００へ作用することにより、コレクタードア７１１のロックは解除される。
【００７９】
延長プレート１５００は、取付けプレート１２００と一体的に形成されている。
【００８０】
棒状部材３１００は、延長プレート１５００の棒状部材挿入孔１５０１へ挿通されている。
【００８１】
延長プレート１５００は、コレクター本体７１０の内部からの手動操作に基づいてコレクタードア７１１のロックを解除するための棒状部材３１００の取付けステーとして機能する。
【００８２】
棒状部材３１００は、ボルト部材である。一端部３１０１は、上側ナットおよび下側ナットなどのような取付け部材３１１０のナット螺合溝を有するボルト尾部である。他端部３１０２は、一端部３１０１をコレクタードアロック機構１０００へ作用させるための手動操作が容易であるボルト頭部である。
【００８３】
コレクター７００のダンプ操作が行われていなくても、コレクター本体７１０の内部の作業者が、棒状部材３１００の他端部３１０２を矢印Ｙの向きに沿って後方へ押すことにより、ロック部材１１００を矢印Ｘの向きに沿って間接的に押下げると、ロック解除リンクプレート２１００は前方へ摺動するので、ロック部材１１００の後端部はコレクタードア７１１の下端部から外れる。このように、コレクタードア７１１のロックは、コレクター本体７１０の内部からの手動操作に基づいても解除される。
【００８４】
本発明における実施の形態の乗用草刈り機のコレクター本体７１０近傍の模式的な部分斜視図である図１０に示されているように、コレクター本体７１０の底壁には、棒状部材３１００が挿通されるべき棒状部材貫通孔７１０ａが形成されている。
【００８５】
図１０においては、コレクター本体７１０の底壁の後縁部を上方から見ている。
【００８６】
棒状部材貫通孔７１０ａは、棒状部材３１００が前後方向において容易に動くことができるような長孔であるが、大き目の丸孔であってもよい。
【００８７】
（Ａ）なお、本発明における変形例の実施の形態（その一）の乗用草刈り機の棒状部材３１００近傍の部分左側面図である図１１に示されているように、棒状部材３１００の他端部３１０２の形状は、コレクター本体７１０の内部へ収容される草が引っかかりにくい柱状形状であってもよい。
【００８８】
棒状部材３１００は他端部３１０２が面取り加工などで丸くなっている丸棒であるので、草が引っかかりにくい。
【００８９】
（Ｂ）また、本発明における変形例の実施の形態（その二）の乗用草刈り機の棒状部材３１００近傍の部分左側面図である図１２に示されているように、棒状部材３１００の他端部３１０２の形状は、コレクター本体７１０の内部へ収容される草が引っかかりにくく、一端部３１０１をコレクタードアロック機構１０００へ作用させるための手動操作が容易であるＬ字形状であってもよい。
【００９０】
棒状部材３１００は他端部３１０２が後方へ曲げられている丸棒であるので、手動操作が容易であるのみならず、草も引っかかりにくい。
【００９１】
（Ｃ）また、本発明における変形例の実施の形態（その三）の乗用草刈り機のベース部材２２００近傍の模式的な部分斜視図である図１３に示されているように、ベース部材２２００には、長孔２２０２が形成されていてもよい。
【００９２】
図１３においては、リンクフレーム本体４３１の角パイプ後部を上方から見ている。
【００９３】
凸部２２０１はベース部材２２００の鉛直面部に形成されており、長孔２２０２はベース部材２２００の水平面部に形成されている。ボルト２２１０は長孔２２０２の後端部へ挿通されており、ピン２２２０は長孔２２０２の前端部へ挿通されている。
【００９４】
ボルト２２１０の下端部はボルト螺合溝を有するリンクフレーム本体４３１の孔と螺合しており、ボルト２２１０はベース部材２２００を固定する単一の固定部材として機能する。上端部が長孔２２０２から突出する、ピン２２２０の下端部は溶接などでリンクフレーム本体４３１へ固定されており、ピン２２２０はボルト２２１０の周りのベース部材回動を防止するバー形状の回動防止部材として機能する。
【００９５】
長孔２２０２の長手方向は前後方向と一致しており、ベース部材２２００がリンクフレーム本体４３１へ固定される位置は、コレクター本体７１０がコレクター底フレーム７２０へ取付けられる位置のズレ、およびコレクタードア７１１のロックの解除タイミングなどを考慮して、調整可能である。
【００９６】
（Ｄ）また、本発明における変形例の実施の形態（その四）の乗用草刈り機の貫通孔３２００近傍の部分左側面図である図１４に示されているように、手動コレクタードアロック解除機構３０００は、コレクター本体７１０の壁に形成された貫通孔３２００を利用して設けられていてもよい。
【００９７】
貫通孔３２００へ挿入された指が手動操作に応じてコレクタードアロック機構１０００へ作用することにより、コレクタードア７１１のロックは解除される。
【００９８】
取付けプレート１２００は手動操作が容易である形状を有することが、望ましい。
【００９９】
コレクター本体７１０の内部の作業者が、取付けプレート１２００の前端部を矢印Ｚの向きに沿って上方へ引くことにより、ロック部材１１００を矢印Ｘの向きに沿って間接的に押下げると、ロック解除リンクプレート２１００は前方へ摺動するので、ロック部材１１００の後端部はコレクタードア７１１の下端部から外れる。このように、コレクタードア７１１のロックは、コレクター本体７１０の内部からの手動操作に基づいても解除される。
【０１００】
貫通孔３２００は、柔軟な変形可能部材３２１０により閉鎖されている。
【０１０１】
変形可能部材３２１０は、本発明における変形例の実施の形態（その四）の乗用草刈り機の貫通孔３２００近傍の模式的な部分上面図である図１５に示されているように、「ＥＸＩＴ」などのような文字列が上面に印刷されている樹脂シートであり、コレクター本体７１０の内部へ収容された草は貫通孔３２００からコレクター本体７１０の外部へ出ていかない。
【０１０２】
コレクター本体７１０の底壁に形成された貫通孔３２００へ挿入された指は、変形可能部材３２１０が指とコレクタードアロック機構１０００との間に介在するとはいえ、直接的にコレクタードアロック機構１０００へ作用するので、棒状部材３１００は不要である。
【０１０３】
なお、貫通孔３２００は、変形可能部材３２１０によってではなく、堅硬な取外し可能部材により閉鎖されていてもよい。コレクター本体７１０の内部の作業者は、取外し可能部材を取外した後に取付けプレート１２００の前端部を容易に引くことができる。
【産業上の利用可能性】
【０１０４】
本発明における乗用草刈り機は、コレクター本体の内部へ入った作業者は、コレクタードアが閉まったときでも、容易にコレクター本体の外部へ出ることができ、たとえば、草刈り作業を行うための乗用草刈り機に利用する目的に有用である。
【符号の説明】
【０１０５】
１１  仕切部材
１２  安全フレーム
１３  ボンネット
２０  エンジン
２１  ＰＴＯクラッチ
３１Ｌ  左側前輪
３１Ｒ  右側前輪
３２Ｌ  左側後輪
３２Ｒ  右側後輪
４０  操縦部
４１  ステアリングハンドル
４２  シート
４３  シートベルト
５０  ブロワー
５１  刈り草搬送シュート
５２  シューター
６０  モアー
６１  モアーデッキ
１００  車体
１１０  支持台
１５０Ｌ  左側支持台受け部材
１５０Ｒ  右側支持台受け部材
１５１Ｌ  受け面
１５１Ｒ  受け面
２００Ｌ  左側支柱部材
２００Ｒ  右側支柱部材
２１０Ｌ  左側リンク支点部材
２１０Ｒ  右側リンク支点部材
２２０Ｌ  左側昇降シリンダー支点部材
２２０Ｒ  右側昇降シリンダー支点部材
３００  コレクター昇降機構
３１０Ｌ  左側昇降シリンダー部材
３１０Ｒ  右側昇降シリンダー部材
４００  コレクター昇降リンク機構
４１０Ｌ  左側アッパーリンクアーム部材
４１０Ｒ  右側アッパーリンクアーム部材
４２０Ｌ  左側ロウワーリンクアーム部材
４２０Ｒ  右側ロウワーリンクアーム部材
４２１Ｌ  左側ロウワーリンクアーム接続部材
４２１Ｒ  右側ロウワーリンクアーム接続部材
４３０  リンクフレーム
４３１  リンクフレーム本体
４３２Ｌ  左側リンクフレーム支点部材
４３２Ｒ  右側リンクフレーム支点部材
４３３Ｌ  左側リンクフレーム接続部材
４３３Ｒ  右側リンクフレーム接続部材
４３４Ｌ  左側ダンプリンク支点部材
４３４Ｒ  右側ダンプリンク支点部材
４５０Ｌ  左側リンクフレーム当接部材
４５０Ｒ  右側リンクフレーム当接部材
４５１Ｌ  当接面
４５１Ｒ  当接面
４６０Ｌ  左側リンクフレーム受け部材
４６０Ｒ  右側リンクフレーム受け部材
４６１Ｌ  受け面
４６１Ｒ  受け面
５００  コレクターダンプ機構
５１０Ｌ  左側ダンプシリンダー部材
５１０Ｒ  右側ダンプシリンダー部材
５１１Ｌ  左側ダンプシリンダー支点ピン
５１１Ｒ  右側ダンプシリンダー支点ピン
６００  コレクターダンプリンク機構
６１０Ｌ  左側ダンプリンクアーム部材
６１０Ｒ  右側ダンプリンクアーム部材
６１１Ｌ  左側ダンプリンクアーム部材接続部材
６１１Ｒ  右側ダンプリンクアーム部材接続部材
７００  コレクター
７１０  コレクター本体
７１０ａ  棒状部材貫通孔
７１１  コレクタードア
７２０  コレクター底フレーム
７２１Ｌ  左側コレクター底フレーム接続部材
７２１Ｒ  右側コレクター底フレーム接続部材
７５０Ｌ  左側コレクター底フレーム当接部材
７５０Ｒ  右側コレクター底フレーム当接部材
７５１Ｌ  当接面
７５１Ｒ  当接面
１０００  コレクタードアロック機構
１１００  ロック部材
１１０１  長孔
１１０２  長孔
１１１１  ピン
１１１２  ピン
１２００  取付けプレート
１２０１  丸孔
１２０２  丸孔
１２０３  回動ピン挿入孔
１２０４  左右凸部
１３００  回動ピン
１４００  トーションスプリング
１５００  延長プレート
１５０１  棒状部材挿入孔
２０００  自動コレクタードアロック解除機構
２１００  ロック解除リンクプレート
２１０１  スリット
２１０２  丸孔
２２００  ベース部材
２２０１  凸部
２２０２  長孔
２２１０  ボルト
２２２０  ピン
３０００  手動コレクタードアロック解除機構
３１００  棒状部材
３１０１  一端部
３１０２  他端部
３１１０  取付け部材
３２００  貫通孔
３２１０  変形可能部材
【図１】
2019058158.tif 000003
【図２】
2019058158.tif 000004
【図３】
2019058158.tif 000005
【図４】
2019058158.tif 000006
【図５】
2019058158.tif 000007
【図６】
2019058158.tif 000008
【図７】
2019058158.tif 000009
【図８】
2019058158.tif 000010
【図９】
2019058158.tif 000011
【図１０】
2019058158.tif 000012
【図１１】
2019058158.tif 000013
【図１２】
2019058158.tif 000014
【図１３】
2019058158.tif 000015
【図１４】
2019058158.tif 000016
【図１５】
2019058158.tif 000017